(57)【要約】【課題】  少なくとも１回表示された一つ前のコンテンツに含まれる次のリンク先への移動を、余計な通信費を発生することなく、単一の操作で可能にする。【解決手段】  有線もしくは無線による通信手段を備えたクライアント端末100には、WEBサイト200上のコンテンツを閲覧するためのブラウザ装置110と、リンク先抽出手段121を備えるリンク先記憶装置120と、移動先指示装置130を有する。リンク先抽出手段121は、次のリンク先のコンテンツに移動する際に、現在のコンテンツに含まれる全てのリンク先URLを抽出し、リンク先記憶装置120に保存する。移動先指示装置130は、ユーザの操作による指示が発生すると、リンク先記憶装置120に記憶されているURL群のなかから、現在表示中のコンテンツの次に記述されていたURLを取得し、ブラウザ110に対してそのURLのコンテンツをWEBサイト200から取得して表示するように指示する。【選択図】  図１
2005227904.tif 000002
【特許請求の範囲】
【請求項１】
第１のコンテンツが表示されているときに、該第１のコンテンツに含まれるリンクを辿って第２のコンテンツが選択されたとき、前記第１のコンテンツに含まれるリンク先ＵＲＬ（Universal Resource Locator）を抽出して、リンク先ＵＲＬ群としてリンク先記憶装置に記憶するとともに、前記選択された第２のコンテンツを取得して表示部に表示し、該第２のコンテンツが表示されているときに、ユーザによる特定の操作を検出して、前記リンク先記憶装置に記憶されている前記第１のコンテンツに含まれるリンク先ＵＲＬ群の中から現在表示されている前記第２のコンテンツ以外のＵＲＬを１つ読み出し、該読み出したＵＲＬにより指定されるコンテンツを取得して表示することを特徴とするブラウザ装置におけるコンテンツ閲覧方法。
【請求項２】
前記リンク先ＵＲＬ群として、前記第１のコンテンツに含まれる全てのリンク先ＵＲＬを記憶し、前記ユーザによる特定の操作が検出される毎に、該記憶されているＵＲＬ群の中から、現在表示されている前記第２のコンテンツの次に記述されているリンク先ＵＲＬを読み出し、該読み出したＵＲＬにより指定されるコンテンツを取得して表示することを特徴とする請求項１に記載のブラウザ装置におけるコンテンツ閲覧方法。
【請求項３】
前記ユーザによる特定の操作が検出されたときに、前記リンク先記憶装置に記憶した全ての前記第１のコンテンツに含まれるリンク先ＵＲＬのポップアップウインドウを表示し、該ポップアップウインドウ表示の中からユーザにより選択されたＵＲＬにより指定されるコンテンツを取得して表示することを特徴とする請求項１または２に記載のブラウザ装置におけるコンテンツ閲覧方法。
【請求項４】
Ｋ個（Ｋ≧２）前までに表示していたコンテンツそれぞれに対して、当該コンテンツに含まれるリンク先ＵＲＬを、ｋ個前（１≦ｋ≦Ｋ）コンテンツのリンク先ＵＲＬ群として記憶しておき、ユーザによる前記特定の操作を検出する毎に、現在表示中のコンテンツをリンク先ＵＲＬの１つとして含む一つ前に表示されていたページに含まれるリンク先ＵＲＬ群を読み出して順次閲覧し、該一つ前のページに含まれるリンク先ＵＲＬの閲覧が終了した後、二つ前に表示されていたページに含まれるリンク先ＵＲＬ群を読み出して順次閲覧し、以下同様にしてＫ個前に表示していたページに含まれるリンク先ＵＲＬ群を読み出して順次閲覧する処理まで繰り返すことが可能であることを特徴とする請求項１または２に記載のブラウザ装置におけるコンテンツ閲覧方法。
【請求項５】
前記リンク先ＵＲＬ群として、それぞれ１つ前のコンテンツに含まれるリンク先ＵＲＬの中から、対象コンテンツと同一のサーバに属するＵＲＬ、またはユーザが予め登録している嗜好にあったリンク先ＵＲＬ、またはユーザ操作の履歴から以前にアクセスされているリンク先ＵＲＬのみを選択して記憶することを特徴とする請求項１、３または４のいずれかに記載のブラウザ装置におけるコンテンツ閲覧方法。
【請求項６】
前記リンク先記憶装置に保存されたリンク先ＵＲＬへのリンク表示を、現在表示しているコンテンツに追加することを特徴とする請求項１、２、４、５のいずれかに記載のブラウザ装置におけるコンテンツ閲覧方法。
【請求項７】
有線もしくは無線による通信手段と、ＷＥＢサイト上のコンテンツを取得して閲覧するためのブラウザ装置を備えたクライアント端末において、
前記ブラウザ装置により前記ＷＥＢサイトから取得されて表示中のコンテンツに含まれているリンク先ＵＲＬを抽出するリンク先抽出手段と、該リンク先抽出手段により抽出されたリンク先ＵＲＬをリンク先ＵＲＬ群として保存するリンク先記憶装置と、該リンク先記憶装置に保存されているＵＲＬ群の中から特定のＵＲＬを読み出し、前記ブラウザに対して、該読み出したＵＲＬのコンテンツを前記ＷＥＢサイトから取得して表示することを指示する移動先指示装置とを備え、
前記リンク先抽出手段は、ユーザにより現在表示中の第１のコンテンツに含まれるリンクを辿って第２のコンテンツが選択されたとき、前記第１のコンテンツに含まれるリンク先ＵＲＬを抽出してリンク先ＵＲＬ群として前記リンク先記憶装置に転送する機能を有しており、
前記移動先指示装置は、前記選択された第２のコンテンツが表示されているときに、ユーザによる特定の操作を検出して、前記リンク先記憶装置に保存されている前記第１のコンテンツに含まれるリンク先ＵＲＬ群の中から現在表示されている前記第２のコンテンツ以外のＵＲＬを読み出し、該読み出したＵＲＬのコンテンツを前記ＷＥＢサイトから取得して表示することを前記ブラウザに指示する機能を有していることを特徴とするクライアント端末。
【請求項８】
前記移動先指示装置は、前記リンク先記憶装置に保存されているＵＲＬ群の中から、現在表示されている前記第２のコンテンツの次に記述されているリンク先ＵＲＬを読み出し、該読み出したＵＲＬにより指定されるコンテンツの取得、表示を前記ブラウザに指示する機能を有していることを特徴とする請求項７に記載のクライアント端末装置。
【請求項９】
前記ユーザによる特定の操作が検出されたときに、前記リンク先記憶装置に記憶した全ての前記第１のコンテンツに含まれるリンク先ＵＲＬのポップアップウインドウを表示する手段を備え、前記移動先指示装置は、前記ポップアップウインドウ表示の中からユーザにより選択されたＵＲＬにより指定されるコンテンツを取得、表示を前記ブラウザに指示する機能を有していることを特徴とする請求項７または８に記載のクライアント端末。
【請求項１０】
前記リンク先記憶装置は、Ｋ個（Ｋ≧２）前までに表示していたコンテンツそれぞれに対して、前記リンク先抽出手段により抽出された当該コンテンツに含まれるリンク先ＵＲＬを、ｋ個前（１≦ｋ≦Ｋ）コンテンツのリンク先ＵＲＬ群としてそれぞれ保存する機能を有しており、前記移動先指示装置は、ユーザによる前記特定の操作を検出する毎に、現在表示中のコンテンツをリンク先ＵＲＬの１つとして含む一つ前に表示されていたページに含まれるリンク先ＵＲＬ群を前記リンク先記憶装置から読み出し、該読み出したＵＲＬにより指定されるコンテンツの取得、表示を前記ブラウザに指示し、該一つ前のページに含まれるリンク先ＵＲＬにより指定されるコンテンツの取得、表示の指示が終了した後、二つ前に表示されていたページに含まれるリンク先ＵＲＬ群を前記リンク先記憶装置から読み出し、該読み出したＵＲＬにより指定されるコンテンツの取得、表示を前記ブラウザに指示し、以下同様にしてＫ個前に表示していたページに含まれるリンク先ＵＲＬ群を前記リンク先記憶装置から読み出し、該読み出したＵＲＬにより指定されるコンテンツの取得、表示を前記ブラウザに指示する機能を有していることを特徴とする請求項７または８に記載のクライアント端末。
【請求項１１】
前記リンク先抽出手段は、前記リンク先ＵＲＬ群として、それぞれ１つ前のコンテンツに含まれるリンク先ＵＲＬの中から、対象コンテンツと同一のサーバに属するＵＲＬ、またはユーザが予め登録している嗜好にあったリンク先ＵＲＬ、またはユーザ操作の履歴から以前にアクセスされているリンク先ＵＲＬのみを選択して抽出する機能を有していることを特徴とする請求項７、９または１０に記載のクライアント端末。
【請求項１２】
前記リンク先記憶装置に保存されたリンク先ＵＲＬへのリンク表示を、現在表示しているコンテンツに追加して表示する手段を有していることを特徴とする請求項７、８、１０、１１のいずれかに記載のクライアント端末。
【請求項１３】
請求項７〜１２のいずれかに記載のクライアント端末を備えていることを特徴とする携帯電話機。
【発明の詳細な説明】
【技術分野】
【０００１】
本発明は、ブラウザ装置を備えるクライアント端末に関し、特にＷＷＷ（World Wide Web）サイト間の移動が容易なコンテンツ閲覧方法に関する。
【背景技術】
【０００２】
従来のブラウザ装置は、コンテンツ記述言語を使用してコンテンツ中に指定された他のコンテンツへのリンクを、ユーザに選択可能な状態として表示し、ユーザがあるリンクを選択すると、そのリンク先のコンテンツを取得し、ブラウザ装置に表示するという機能を備える。
【０００３】
リンク先の指定にはＵＲＬ（Universal Resource Locator）が用いられる。またユーザが閲覧したコンテンツは、リンクを辿った順に履歴情報としてブラウザ装置に記録され、履歴移動に割り当てられた操作（専用ボタン押下等）によって、履歴を戻ったり、進んだりすることができる。例えばコンテンツ１→コンテンツ２→コンテンツ３の順にブラウザに表示させた場合、履歴移動操作により、コンテンツ３からコンテンツ２に戻ったり、その後再度コンテンツ３に進んだりということができる。
【０００４】
しかし、従来のブラウザ装置においては、深い階層構造からなるコンテンツを順次閲覧していく場合、煩雑な操作が必要であった。例えば各種ニュースを掲載しているＷＥＢサイトをブラウザで閲覧する場合を考えると、多くの場合そのサイト内のコンテンツ階層構造は次のようになっている。まずジャンル選択のページがあり、その中には「社会」、「経済」、「スポーツ」、「天気」等の他のコンテンツへのリンクが設定された項目が記されている。
【０００５】
そこで例えば「スポーツ」を選択すると、さらにサブジャンルを選択するコンテンツが表示され、その中には「野球」、「相撲」、「サッカー」等のさらに詳細な内容を記述したコンテンツへのリンクが設定された項目が記され、さらに「野球」を選択することで、「野球」に関する記事一覧が表示され、その中には詳細記事へのリンクが設定された一覧が記されている。
【０００６】
ここで記事一覧中のリンクを選択することで、ユーザは詳細記事を閲覧することができる。このようなＷＥＢサイト内のコンテンツを順次閲覧していこうとすると、ジャンル、サブジャンル、記事一覧を選択して詳細記事までリンクを辿った後、再度記事一覧、サブジャンルもしくはジャンル選択のページまで戻って再度別の詳細記事を表示するという操作を何度も繰り返す必要があり、閲覧操作が面倒である。
【０００７】
このような問題を解消する方法として、特許文献１では、ハイパーテキスト閲覧システムにおけるリンク先文書の階層表示方法において、ポインティングデバイスの指示位置に対応するリンク先文書一覧を表示し、さらに、表示されているリンク先文書一覧の項目へポインティングデバイスを移動することにより、対応するリンク先文書のリンク先文書一覧を表示することによって、何階層も先の項目を選択することを可能とし、途中の階層を飛び越えて文書を表示可能にすることで、所望のページに短時間でアクセスできるようにする技術が記載されている。
【０００８】
また、特許文献２では、ウェブブラウザ画面の第１のフレームに複数のファイルを切り換えて表示する第１の表示ステップと、該第１のフレームに表示されたファイルが切り換えられる毎に、前記複数のファイルに対応して予め定められた複数のファイルのうち、前記第１のフレームに切り換えて表示されたファイルに対応するファイルを前記画面の第２のフレームに表示する第２の表示ステップとを含み、前記第１のフレームに切り換えて表示される複数のファイルの各々には、当該複数のファイルの少なくとも１つをリンク先として指定する少なくとも１つのリンク先ファイル識別情報が埋め込まれ、前記第１の表示ステップは、前記第１のフレームに表示された何れかのファイルに埋め込まれたリンク先ファイル識別情報が選択されたことに応答して、当該選択されたリンク先ファイル識別情報により指定されたファイルを前記第１のフレームに表示されていた前記ファイルから切り換えて前記第２のフレームに表示することにより、ブラウザの画面を構成する複数のフレームに表示される複数のファイルを、表示されたファイル内のリンク先を利用して連動して切換可能とする技術が記載されている。
【０００９】
また、特許文献３では、現在表示されているＷｅｂページに含まれている全てのリンク先のＷｅｂサイトに自動アクセスして、各Ｗｅｂサイトから読み込まれたＷｅｂページの画像データを縮小して記憶するＷｅｂ画像縮小記憶手段と、表示されたＷｅｂページに載せられた他のＷｅｂページへのリンク関係情報を指定するリンク情報指定手段と、このリンク情報指定手段により指定されたリンク関係情報に対応して前記Ｗｅｂ画像縮小記憶手段に記憶されているリンク先Ｗｅｂページの縮小画像を読み出して表示するＷｅｂ縮小画像表示手段を備えることにより、例えば現在表示中のＷｅｂページ画面から関連付けられたＷｅｂページの内容を素早く簡単に表示して確認できるようにする技術が記載されている。
【００１０】
【特許文献１】特開平１１−２７２６９６号公報
【特許文献２】特開２００２−９１６５６号公報
【特許文献３】特開２００３−９１４５０号公報
【発明の開示】
【発明が解決しようとする課題】
【００１１】
特許文献１に記載の発明によれば、現在表示中のＷＥＢサイト中のリンクを選択すると、リンク先のページ中に含まれるリンク群が一覧表示され、該一覧表示されたリンクの任意の１つを選択すると、そのリンク先のページに含まれるリンク群が一覧表示されるので、例えばリンク先のリンク先へとダイレクトに移動することができ、所望のページに短時間でアクセスすることができるが、特許文献１では、リンク先一覧を取得するために、リンク先のコンテンツを背後でダウンロードして解析しておく必要が生じ、余計な通信費が発生するという問題がある。
【００１２】
特に携帯電話向けＷＥＢサイトの場合は、携帯電話のブラウザ装置の画面サイズが小さいことを考慮して、一コンテンツ当たりの情報量を減らしてあるため、ＷＥＢサイト内のコンテンツ構成がより深い階層構造になっているケースが多く、限られたボタンで操作する携帯電話用ブラウザ装置では、ユーザ操作が非常に煩雑なものとなる。
【００１３】
また、特許文献２に記載の発明によれば、ＷＥＢサイトの履歴移動の際に、フレームで構成されているページが含まれていた場合に、そのページをクリックすることにより、１回のクリック操作で、それぞれのフレームに直前に表示された複数のファイルを、表示されたファイル内のリンク先を利用して、連動して切り換えることができるが、１回のクリック操作で現在表示されている一つ前のページの次のリンク先に移動することはできない。
【００１４】
また、特許文献３に記載の発明では、端末側に縮小画像を保存しておくためメモリ消費量が増え、また、各リンク先のサイトの縮小画像を作るために、そのサイトのページを一旦ダウンロードする必要があり、余計な通信費が発生し、かつ縮小画像を作成するための時間も掛かるという問題がある。
【００１５】
本発明の目的は、上記問題点に鑑み、少なくとも１回表示された一つ前のコンテンツに含まれる次のリンク先への移動を、余計な通信費を発生することなく、単一（１回）の操作で可能にする手段を提供することにある。
【課題を解決するための手段】
【００１６】
本発明のブラウザ装置におけるコンテンツ閲覧方法は、第１のコンテンツが表示されているときに、該第１のコンテンツに含まれるリンクを辿って第２のコンテンツが選択されたとき、前記第１のコンテンツに含まれるリンク先ＵＲＬ（Universal Resource Locator）を抽出して、リンク先ＵＲＬ群としてリンク先記憶装置に記憶するとともに、前記選択された第２のコンテンツを取得して表示部に表示し、該第２のコンテンツが表示されているときに、ユーザによる特定の操作を検出して、前記リンク先記憶装置に記憶されている前記第１のコンテンツに含まれるリンク先ＵＲＬ群の中から現在表示されている前記第２のコンテンツ以外のＵＲＬを１つ読み出し、該読み出したＵＲＬにより指定されるコンテンツを取得して表示することを特徴とする。
【００１７】
また、本発明のクライアント端末は、有線もしくは無線による通信手段と、ＷＥＢサイト上のコンテンツを取得して閲覧するためのブラウザ装置を備えるとともに、前記ブラウザ装置により前記ＷＥＢサイトから取得されて表示中のコンテンツに含まれているリンク先ＵＲＬを抽出するリンク先抽出手段と、該リンク先抽出手段により抽出されたリンク先ＵＲＬをリンク先ＵＲＬ群として保存するリンク先記憶装置と、該リンク先記憶装置に保存されているＵＲＬ群の中から特定のＵＲＬを読み出し、前記ブラウザに対して、該読み出したＵＲＬのコンテンツを前記ＷＥＢサイトから取得して表示することを指示する移動先指示装置とを備え、かつ、前記リンク先抽出手段は、ユーザにより現在表示中の第１のコンテンツに含まれるリンクを辿って第２のコンテンツが選択されたとき、前記第１のコンテンツに含まれるリンク先ＵＲＬを抽出してリンク先ＵＲＬ群として前記リンク先記憶装置に転送する機能を有しており、前記移動先指示装置は、前記選択された第２のコンテンツが表示されているときに、ユーザによる特定の操作を検出して、前記リンク先記憶装置に保存されている前記第１のコンテンツに含まれるリンク先ＵＲＬ群の中から現在表示されている前記第２のコンテンツのＵＲＬ以外のＵＲＬを読み出し、該読み出したＵＲＬのコンテンツを前記ＷＥＢサイトから取得して表示することを前記ブラウザに指示する機能を有していることを特徴とする。
【００１８】
本発明によれば、先の従来の課題におけるＷＥＢサイトの場合でも、「スポーツ」→「野球」→「記事一覧」のようにリンクを移動していき、そこからさらにある一つの詳細記事を表示しているときに、一回の操作で同じ「記事一覧」に属するコンテンツを順次表示していくことができ、従来の手法のように、一旦詳細記事から「記事一覧」の表示画面に戻ってそこで再度次のリンクを選択するという操作を繰り返す必要がなくなる。
【００１９】
また例えば、トップページＡが地域で、Ｂ１：東京、Ｂ２：神奈川、Ｂ３：埼玉へのリンクがある階層構造を有する天気予報のＷＥＢサイトがあり、トップページＡ中のリンクを選択することにより、それぞれの地区の天気予報が記されたページＢ１〜Ｂ３へ移動しながら逐次閲覧する場合、従来のブラウザ装置で、東京、神奈川、埼玉の天気予報のページＢ１、Ｂ２、Ｂ３を見ようとすると、Ａ→Ｂ１→Ａに戻る→Ｂ２→Ａに戻る→Ｂ３という順にリンクを辿っていく必要がある。
【００２０】
これに対して本発明では、トップページＡを表示している際に、そこに記されているリンクＢ１、Ｂ２、Ｂ３のＵＲＬを記憶しておき、Ｂ１に移動した際に、特別に割り当てられたボタン（もしくはメニューなど）を押すと、記憶しておいたＵＲＬ群の内、Ｂ１の次のリンクであるＢ２のＵＲＬへと移動する。さらに上記特別に割り当てられたボタンを再度押すと、Ｂ２からＢ３へ移動する。これによって、ボタン（もしくはそれに類似したメニュー選択等）の操作を１回行う毎に、Ａ→Ｂ１→Ｂ２→Ｂ３へ直接移動でき、ＷＥＢサイトの逐次閲覧を、簡単かつ容易に実施できる。
【００２１】
また、その際、一つ前のページの次のリンク先の情報（ＵＲＬ）は、当該一つ前のページに全て含まれており、これはブラウザが直前に表示していたものであるから、別途この発明の処理のためだけにコンテンツをダウンロードする必要はなく、余計な通信費や電力消費を生ずることもない。従って、特に、携帯電話機のように、操作ボタンが少なく、マウスがないような貧弱なユーザインタフェース環境では、単一の操作でコンテンツ移動できることは、有効な手段となる。
【発明の効果】
【００２２】
本発明によれば、コンテンツＡからリンクを辿ってコンテンツＢを表示する際に、コンテンツＡが表示されている際に該コンテンツＡに含まれるリンク先のＵＲＬを記憶しておくことで、単一の操作で現在表示中のコンテンツＢから、コンテンツＡ中でコンテンツＢの次のリンク先として記憶され、指定されているサイトに直接移動することができるため、ＷＥＢサイト閲覧時の煩雑なユーザ操作を改善することができる。
【００２３】
また、一つ前のページの次のリンク先の情報（ＵＲＬ）は、ブラウザが直前に表示していたコンテンツから得られるので、別途この発明の処理のためだけにコンテンツをダウンロードする必要はなく、余計な通信費を生ずることなく電力消費も最小限に抑えて本発明を実現することができる。
【発明を実施するための最良の形態】
【００２４】
図１は、本発明の第１の実施形態を示すクライアント端末のブロック図である。なお、クライアント端末には、キー入力手段、表示手段あるいはネットワークを介してWEBサイトと通信を行うための無線通信手段等も備えられているが、図１では、本発明と関連するブロックのみを示しており、その他のブロックは省略されている。
【００２５】
図１において、有線もしくは無線による通信手段を備えたクライアント端末１００には、ＷＥＢサイト２００上のコンテンツを閲覧するためのブラウザ装置１１０と、リンク先記憶装置１２０と、移動先指示装置１３０が設けられている。また、リンク先記憶装置１２０は、リンク先抽出手段１２１を備えている。
【００２６】
リンク先抽出手段１２１は、次のリンク先のコンテンツに移動する際に、現在のコンテンツに含まれる全てのリンク先ＵＲＬを抽出し、リンク先記憶装置１２０に保存する。移動先指示装置１３０は、ユーザの操作による指示が発生すると、リンク先記憶装置１２０に記憶されているＵＲＬ群のなかから、現在表示中のコンテンツの次に記述されていたＵＲＬを取得し、ブラウザ１１０に対してそのＵＲＬのコンテンツをＷＥＢサイト２００から取得して表示するように指示する。
【００２７】
図２は、本実施形態の動作を示すフローチャートである。以下、図１及び図２を参照して、本実施形態の動作について詳細に説明する。
【００２８】
ＷＥＢサイト２００上のコンテンツを、ユーザがクライアント端末１００上のブラウザ装置１１０を使用して閲覧する場合、次のような手順で処理が行われる。まず、最初のコンテンツＡをブラウザ装置１１０で表示する（Ｓ０）。コンテンツＡには、リンク先としてｌｉｎｋ−１からｌｉｎｋ−Ｎまでが含まれているとする。その後、ユーザ操作によりｌｉｎｋ−３のコンテンツＢへのリンクが選択されると（Ｓ１）、ブラウザ装置１０１はＷＥＢサイト２００からコンテンツＢを取得し、表示する（Ｓ３）。
【００２９】
その際、リンク先抽出手段１２１は、コンテンツＡに含まれるｌｉｎｋ−１からｌｉｎｋ−Ｎまでのリンク先のＵＲＬを全て、リンク先記憶装置１２０に保存する（Ｓ２）。次に、ユーザにより特定の操作（例えばボタン押下処理）が行われたら（Ｓ４）、移動先指示装置１３０は、リンク先記憶装置１２０に保存されているＵＲＬのなかから、現在表示中のコンテンツであるｌｉｎｋ−３の次に記述されていたｌｉｎｋ−４のＵＲＬを取得し（Ｓ５）、ブラウザ装置１１０に対してｌｉｎｋ−４のコンテンツの表示指示を行う（Ｓ６）。
【００３０】
ここで、本実施形態の機能を呼び出すための特定の操作としては、ブラウザの操作に割り当てられていないボタンや、下ボタンの押下処理、もしくは下ボタンの長押し等を利用すること等により実施することができる。ただし、下ボタン、下ボタン長押しがブラウザのスクロール機能に割り当てられている場合には、画面のスクロールが終了したのち、さらに続けて下ボタンの押下を行った場合にこの機能が呼び出されるように設定することにより対応させる。この操作により、ブラウザ装置１０１はＷＥＢサイト２００からｌｉｎｋ−４のコンテンツＢを取得して表示する（Ｓ７）。
【００３１】
さらに、ｌｉｎｋ−４のコンテンツを表示中に、再度上記特定の操作が行われたら、移動先指示装置１３０はリンク先記憶装置１２０に保存されているＵＲＬの中から、ｌｉｎｋ−４の次に記述されていたｌｉｎｋ−５のＵＲＬを取得し、ブラウザ装置１１０に対してｌｉｎｋ−５のコンテンツの表示指示を行う。これによって、初期ページであるコンテンツＡに含まれているリンク先を単一の操作で順次閲覧することができる。
【００３２】
即ち、従来のブラウザ装置ではコンテンツＡに含まれるリンク先ｌｉｎｋ−１からｌｉｎｋ−Ｎのページを順次閲覧しようとした場合には、コンテンツＡ→ｌｉｎｋ−１のコンテンツ→コンテンツＡに戻る→ｌｉｎｋ−２のコンテンツ・・・と、一旦コンテンツＡに戻る操作を逐一繰り返す必要があったが、本発明では、コンテンツＡ→ｌｉｎｋ−１→ｌｉｎｋ−２→・・・→ｌｉｎｋ−Ｎのようにコンテンツを移動することができ、ユーザ操作を大幅に減らすことができる。しかも、各コンテンツ側には、何の修正も不要である。これにより、従来の課題で述べたニュースのＷＥＢサイト等を閲覧する場合の操作性を向上することが可能となる。
【００３３】
なお、上記実施形態では、コンテンツＡに含まれるリンク先のＵＲＬ（ｌｉｎｋ−１〜ｌｉｎｋ−Ｎ）をリンク先記憶装置１２０に保存し、ユーザによる特定の操作（ボタン押下処理等）が行われる毎に、リンク先記憶装置１２０に保存されているＵＲＬのなかから、現在表示中のコンテンツであるｌｉｎｋ−ｎ（１〜Ｎ）の次に記述されていた、ｌｉｎｋ−（ｎ＋１）のＵＲＬを順次取得し、ｌｉｎｋ−（ｎ＋１）のコンテンツの表示を行っているが、第２の実施形態として、ユーザによる特定の操作（ボタン押下処理等）が行われた場合に、記憶している全てのＵＲＬのポップアップウインドウを表示して、ユーザが、該表示された全てのＵＲＬ群の中から、どのリンク先に移動するかを選択できるようにしてもよい。
【００３４】
また、上記各実施形態では、一つ前に表示していたコンテンツのみに対して、そのコンテンツ内に含まれるリンク先ＵＲＬ群を記憶しているが、第３の実施形態として、Ｋ個前までに表示していたコンテンツそれぞれに対して、そのコンテンツに含まれるリンク先ＵＲＬを記憶しておき、ユーザによる特定の操作（ボタン押下処理等）が行われたときに、指定した表示に含まれるリンク先ＵＲＬ群の中から選択できるように構成することもできる。
【００３５】
即ち、Ｋ個前に表示していたコンテンツに含まれるリンク先を、ｌｉｎｋ−Ｋ１〜ｌｉｎｋ−ＫＸとすると、現在のコンテンツ表示中に、ユーザが特定の操作を行うことにより、まずは一つ前のページに含まれるリンクｌｉｎｋ−１１〜ｌｉｎｋ−１Ｘを順次閲覧していく。ここまでは第１の実施形態と同じ動作であるが、第３の実施形態では、ｌｉｎｋ−１Ｘまで閲覧した後に前記特定の操作が行われた場合には、移動先指示装置１３０はｌｉｎｋ−２Ｌを表示させ、その後特定の操作を繰り返すと、ｌｉｎｋ−２Ｌからｌｉｎｋ−２Ｘまで移動し、次にｌｉｎｋ−３Ｍに移動する、という処理を繰り返す。
【００３６】
ここでｌｉｎｋ−２Ｌ、ｌｉｎｋ−３Ｍは、それぞれ２個前に表示していたコンテンツの、次のリンク先（これは３個前のコンテンツ中に記述されている）及び、３個前に表示していたコンテンツの、次のリンク先（これは４個前のコンテンツ中に記述されている）である。この処理によって、第１の実施形態よりもさらにコンテンツの順次閲覧に要する操作が削減される。
【００３７】
また、上記各実施形態では、リンク先抽出手段１２１を用いてコンテンツ内に含まれる全てのリンク先ＵＲＬを抽出し、リンク先記憶装置１２０に保存しているが、第４の実施形態として、全てのリンク先ＵＲＬを保存するのではなく、対象コンテンツと同一のサーバに属するもののみを選択して保存する方式、あるいは、ユーザが予め登録している嗜好にあったリンク先ＵＲＬや、ユーザ操作の履歴から頻繁に訪れているリンク先ＵＲＬのみを選択して保存する方式により本発明を実施することもできる。
【００３８】
例えば、「社会」、「経済」、「スポーツ」、「天気」等のコンテンツへのリンクが設定されている場合、ユーザ操作の履歴からユーザが「野球」のＵＲＬに頻繁にアクセスしている場合には、リンク先ＵＲＬとして、「野球」のコンテンツに含まれるＵＲＬを抽出してリンク先記憶装置１２０に記憶し、ユーザによる特定の操作が行われる毎に、該保存されているＵＲＬの中から選択して順次閲覧する。
【００３９】
また、第５の実施形態として、第１、第３、第４の実施形態において、リンク先記憶装置１２０に保存されたリンク先ＵＲＬへのリンク表示を、現在表示しているコンテンツに追加する手段を設けて構成することも可能である。この実施形態では、ユーザは現在表示しているコンテンツ中に組み込まれたこれらのリンクを選択することで、一つ前のコンテンツに一旦戻ってリンク先を選択するという手間をかけることなく、直接次のリンク先へと移動することができるようになる。
【図面の簡単な説明】
【００４０】
【図１】本発明の第１の実施形態を示すクライアント端末のブロック図である。
【図２】本実施形態の動作を示すフローチャートである。
【符号の説明】
【００４１】
１００  クライアント端末
１１０  ブラウザ装置
１２０  リンク先記憶装置
１２１  リンク先抽出手段
１３０  移動先指示装置
２００  WEBサイト
【図１】
2005227904.tif 000003
【図２】
2005227904.tif 000004